(57)【要約】  指によって制御されるデバイスで、携帯電話によりユーザの周りの映像を記録できるようにする。デバイスは、以下の主要部品を有する：１−携帯電話保持フレーム、２−ピボットに回転運動を生じるために外力を受け取り、ピボットを自由に回転させるピボット、３−ユーザの掌でユーザが３６０°携帯電話回転デバイスを保持できるようにし、グリップと携帯電話との間に角度を生じさせるハンドル。さらに、３６０°携帯電話回転デバイスには、以下のものが追加されてもよい：４−任意に、ハンドルおよびピボット保持フレームを伸長させるための、またはハンドルとピボット保持フレームとの間の長さを長くし、ハンドルと携帯電話との間に角度を生じさせるための連結部または延長部、５−ハンドルからの回転運動を携帯電話の保持フレームへ伝えるための、ケーブル導管内のケーブル、６−外力によって往復運動が行われかつシャフト保持器の水平のバー間の間隙によって保持される、ピボットに接する湾曲しているまたは直線状のバー。
2019527858.tif 000002
【特許請求の範囲】
【請求項１】
１本または数本の指によってピボットを直接回転させることによって制御される、カメラおよび映像記録スクリーンを備える携帯電話（スマートフォン）、または携帯型カメラ用の、回転ハンドヘルドデバイスであって、少なくとも、
スクリーンがユーザの方向と平行にまたは略平行に位置決めされるように、前記携帯電話を保持するために使用される保持フレームであって、前記保持フレームは、前記携帯電話の側面もしくは上縁および下縁をクランプするためのクランプ形状である、または、前記携帯電話の前面および背面をクランプするための対称なもしくは非対称な形状である、または、前記保持フレームは、平面的なまたは鉛直な形状であり、前記携帯電話が前記保持フレームにしっかりと取り付けられるように、前記保持フレームの鉛直バーまたは鉛直面は、粘着要素、磁気要素、またはカップ状カバーを有する、保持フレームと、
前記保持フレームの下方の中央位置で前記携帯電話の保持フレームに接続される円形のシリンダー状スピンドル（以下ピボットと呼ぶ）であって、前記ピボットには、前記ピボットの軸の機能を果たす少なくとも１つの短いセグメントがあり、前記ピボットには、少なくとも１つの開放セグメントがあり、その開放セグメントのところで前記ピボットに接触することによってまたは前記ピボットを直接回転させることによって前記指をそこに接触させることができ、前記セグメントは指との摩擦を高めるために隆起部を有する、ピボットと、
前記ピボットの保持フレームであって、この保持フレームには、前記ピボットのシャフトを保持するための少なくとも１つの軸受があり、このシャフトはこの軸受内で自由に回転でき、さらに、前記ピボットが露出セグメントを有するように、前記ピボットのこの保持フレームは、開口部を有するか、または、前記ピボットと比較して長さが短く、前記露出セグメントにはユーザの指が接触でき、力を伝達して、前記ピボットに回転運動を生じさせ、また、前記ピボットが前記デバイスのハンドルとして機能し得る、保持フレームと、
を有する、回転ハンドヘルドデバイス。
【請求項２】
人差し指を鉛直運動で動かすことによって制御される、カメラおよび映像記録スクリーンを備える携帯電話（スマートフォン）、または携帯型カメラ用の、回転ハンドヘルドデバイスであって、少なくとも、
スクリーンがユーザの方向と平行にまたは略平行に位置決めされるように、前記携帯電話を保持するために使用される保持フレームであって、前記保持フレームは、前記携帯電話の側面もしくは上縁および下縁をクランプするためのクランプ形状である、または、前記携帯電話の前面および背面をクランプするための対称もしくは非対称な形状である、または前記保持フレームは、平面的なまたは鉛直な形状であり、前記携帯電話が前記保持フレームにしっかりと取り付けられるように、前記保持フレームの鉛直バーまたは鉛直面は、粘着要素、磁気要素、またはカップ状カバーを有する、保持フレームと、
前記保持フレームの底部中央において前記携帯電話の保持フレームに接続される円形のシリンダー状ピボットであって、前記ピボットには、前記ピボットの軸の機能を果たす少なくとも１つの短いセグメントがあり、前記ピボットには、前記ピボットと同軸に円形のシリンダー状歯車が取り付けられている、シリンダー状ピボットと、
前記ピボットの前記歯車の歯と係合する、外面に同軸の歯のある多角形またはシリンダー形状のバーであって、前記多角形またはシリンダー状のバーの一方の端部は、人差し指が入れられる閉リングまたは開リングに接続されている、多角形またはシリンダー形状のバーと、
前記ピボットの保持フレームであって、この保持フレームには、前記ピボットの軸を保持するための少なくとも１つの軸受と、前記多角形のバーの横断面と同様の、または外表面に同軸の歯があるシリンダー状ロッドの横断面と同様の、横断面を有するパイプと、があり、前記パイプでは前記多角形のバーまたは前記シリンダー形状のロッドが中空のチューブ内で前後に摺動でき、また、前記フレームが前記デバイスのハンドルとして機能し得る、保持フレームと、
を有する、回転ハンドヘルドデバイス。
【請求項３】
指を曲線弧に動かすことによって制御される、カメラおよび映像記録スクリーンを備える携帯電話（スマートフォン）、または携帯型カメラ用の、回転ハンドヘルドデバイスであって、少なくとも、
スクリーンがユーザの方向と平行にまたは略平行に位置決めされるように、前記携帯電話を保持するために使用される保持フレームであって、前記保持フレームは、前記携帯電話の側面もしくは上縁および下縁をクランプするためのクランプ形状である、または、前記携帯電話の前面および背面をクランプするための対称もしくは非対称な形状である、または前記保持フレームは、平面的なまたは鉛直な形状であり、前記携帯電話が前記保持フレームにしっかりと取り付けられるように、前記保持フレームの鉛直バーまたは鉛直面は、粘着要素、磁気要素、またはカップ状カバーを有する、保持フレームと、
前記フレームの底部中央において前記携帯電話の保持フレームに接続される円形のシリンダー状ピボットであって、前記ピボットには、前記ピボットの軸の機能を果たす少なくとも１つの短いセグメントがあり、前記ピボットには、前記ピボットと同軸に円錐状または円錐台状の歯車が取り付けられている、シリンダー状ピボットと、
外周に歯がある扇状のプレートであって、セクターの中心には、前記扇状のプレートの平面に対して垂直に水準レベルがあり、前記セクターの他方の端部はレバーに接続され、前記レバーのこの端部は、人差し指を入れるための閉リングまたは開リングである、扇状のプレートと、
ピボットの保持フレームであって、この保持フレームには、前記ピボットの水準レベルを保持するための少なくとも１つの軸受と、前記扇状のプレートの前記水準レベルを保つための１つの軸受と、があり、そのようなプレートが円錐状または円錐台状歯車と係合し、このプレートが回転することを可能とし、また、ピボットの前記保持フレームが前記デバイスのハンドルとして機能し得る、保持フレームと、
を有する、回転ハンドヘルドデバイス。
【請求項４】
親指を上下に直線的に動かすことによって制御される、カメラおよび映像記録スクリーンを備える携帯電話（スマートフォン）、または携帯型カメラ用の、回転ハンドヘルドデバイスであって、少なくとも、
スクリーンがユーザの方向と平行にまたは略平行に位置決めされるように、前記携帯電話を保持するために使用される保持フレームであって、前記保持フレームは、前記携帯電話の側面もしくは上縁および下縁をクランプするためのクランプ形状である、または、前記携帯電話の前面および背面をクランプするための対称もしくは非対称な形状である、または前記保持フレームは、平面的なまたは鉛直な形状であり、前記携帯電話が前記保持フレームにしっかりと取り付けられるように、前記保持フレームの鉛直バーまたは鉛直面は、粘着要素、磁気要素、またはカップ状カバーを有する、保持フレームと、
前記フレームの底部中央において前記携帯電話の保持フレームに接続される円形のシリンダー状ピボットであって、前記ピボットには、前記ピボットの軸の機能を果たす少なくとも１つの短いセグメントがあり、前記ピボットには、前記ピボットと同軸にドリルビット形状のスクリューアクスル歯車が取り付けられている、シリンダー状ピボットと、
前記ドリルビット形状のスクリューアクスルの横断面と同様の横断面の孔を有し、前記親指を入れるための閉リングまたは開リングに接続され、前記ドリルビット形状のスクリューアクスルの長さに沿って上下に動き得る、摺動ブロックと、
前記ピボットの水準レベルを保つための少なくとも１つの軸受がある前記ピボットの保持フレームであって、そのようなフレームが前記デバイスのハンドルとして機能する、保持フレームと、
を有する、回転ハンドヘルドデバイス。
【請求項５】
前記ピボット保持フレームと前記ハンドルとの間に、前記ユーザと前記携帯電話との間の距離を長くする伸長部があり、
前記伸長部は、折り畳み可能な形態、または、Ｕ字形状のインターロッキングの形態、または、異なる直径が組み合わせられた中空の円管または多角形管の形態、または、バネ状の形態にあり、
前記伸長部は、折り重ねられていると、４０ｃｍ未満、好ましくは１５ｃｍ未満であり、携帯電話のポケットにぴったりとはまる、
請求項１から４のいずれか１項に記載の回転ハンドヘルドデバイス。
【請求項６】
ケーブルに接続され、ケーブルダクトに包まれた前記ピボットが、円形ピボットの前記保持フレームに接続された一方の端部と、前記デバイスの前記ハンドルフレームに接続された他方の端部と、を有し、前記ケーブルは、前記ケーブルダクト内で自由に回転でき、円形ピボットの前記保持フレームと前記ハンドルフレームとの間で、前記ユーザが前記携帯電話からある距離で記録するための、前記デバイスの伸長部として機能する、
請求項１から５のいずれか１項に記載の回転ハンドヘルドデバイス。
【請求項７】
映像記録の際、前記カメラが体によって覆われないように、前記携帯電話の高さを高くするために、前記ハンドルフレームが、前記ユーザの頭部の頂部で、前記ユーザの肩の頂部で、または前記ユーザの頭部の上方で、前記携帯電話を保持するための部品、または、前記地面に配置するための部品によって、置き換えられ、
前記頭部の頂部の前記携帯電話ホルダーは、弾性の、安定した、湾曲面であり、その湾曲は、前記頭部の湾曲と等しいかまたは前記肩の湾曲とほぼ等しい、
請求項１から４のいずれか１項に記載の回転ハンドヘルドデバイス。
【請求項８】
円形の軸が、電気モータからの伝動で回転し、この回転は、前記電気モータの軸から前記円形の軸への同軸接続によって可能にされ、
電気モータは、ＤＣモータを備える、ダンパ、伝動ベルト−プーリ、または歯車装置と、シャフト保持器上にある軸受によって保持される、プーリまたは歯車と、を有し、
前記電気モータは、前記シャフト保持器に保持され、シャフト保持器、伸長部、ハンドル、または携帯電話上にあるバッテリーにより、バッテリーから前記電気モータへのワイヤを用いて電力が供給され、
前記ハンドルには、上下にまたは往復式に摺動する形態の制御スイッチを備え、
前記電気スイッチは、中心点がオフ点でありかつ対向する両側部が互いに逆電流スイッチであるスイッチであり、直流が、スライドスイッチの長手方向摺動運動により加減抵抗器によって制御される、
請求項１に記載の回転ハンドヘルドデバイス。
【請求項９】
使用される前記携帯電話が、写真および映像の３６０°処理に関するアプリケーションソフトを含む、
請求項１から８のいずれか１項に記載の回転ハンドヘルドデバイス。
【請求項１０】
使用される前記携帯電話がＧＰＳ測位機能を搭載する、
請求項１から９のいずれか１項に記載の回転ハンドヘルドデバイス。
【請求項１１】
前記ハンドルが動作スイッチを備え、前記カメラをオンおよびオフするためのワイヤが前記ハンドルから前記携帯電話まで接続される、または、前記ハンドルが、前記カメラを無線でオンおよびオフするためのＢｌｕｅｔｏｏｔｈ(登録商標)デバイスを有するスイッチを備える、
請求項１〜１０のいずれか１項に記載の回転ハンドヘルドデバイス。
【発明の詳細な説明】
【技術分野】
【０００１】
携帯電話支持ハンドヘルドデバイス（スマートフォン）の分野における本発明は、指によって望まれるように回転方向および速度を比較して、携帯電話を３６０°よりも小さいまたはそれを上回った角度に回転させることによる便利な方法で、パノラマシーンを撮影する。
【背景技術】
【０００２】
携帯電話（スマートフォン）で画像および動画（ｍｏｖｉｅｓ）を記録する、鑑賞するおよび送信するという要求が高まっている。特に、ソーシャルネットワーク、例えばフェイスブック（Ｆａｃｅｂｏｏｋ（登録商標））、ユーチューブ（ＹｏｕＴｕｂｅ（登録商標））などは、観客（ｓｐｅｃｔａｔｏｒｓ）がパノラマシーン全体を見るために回転し得るときに、通常の画像および動画をパラノマのものに変換することを支援し始めている。
【０００３】
現在のところ、記録は、携帯電話を保持して向きを変えるか、または、携帯電話を保持している手を回して、丸形リングまたは球面に装着された複数のカメラで構成される高価なデバイスを用いて、ユーザの周りの画像を記録することによって行われている。
【０００４】
３６０度の角度で回すことによって、ビデオレコーダまたは携帯電話（以下、携帯電話と呼ぶとき、暗黙のうちにスマートフォン、または自動スマートビデオレコーダであると分かる）を保持する人の周りの３６０°の弧で記録されたパノラマを撮るためには、携帯電話のカメラがユーザの体から外に向いている場合に携帯電話のユーザの画像を記録することが不可能であるため、不都合なことが多い。それどころか、携帯電話は、携帯電話のカメラがユーザの体に向いているときには、ユーザの体によって、記録される必要があるシーンのほとんどを見えなくする。
【０００５】
携帯電話を手で回すことは、一定の低速度に保つことが困難であり、それゆえ、回すときに揺れ（ｕｎｄｕｌａｔｉｏｎ）を回避することが困難であるため、記録した画像または映像すなわちビデオは低品質となる。ビデオの画像は、簡単にぼけるかまたは揺れ、一貫性のない速度であり、携帯電話を落としやすい。
【０００６】
円弧の周りにカメラを備えた特別なデバイス、または３６０°の弧のパノラマ画像を撮るために、球面の周りに装着されたカメラを用いる記録は、別々に３６０°の弧を記録し、かつ３６０°の弧の単一像を見るために、２つのデバイスを必要とする。そのため、携帯電話ユーザが３６０°ビデオ記録機器を買い求めるコストが劇的に増大する。さらに、異なるカメラによって、画像が記録されて、３６０°の弧へと再び集められることは、異なるカメラの画像のエッジにおいて連絡がうまくいかない問題を経験し得る。
【０００７】
本発明は、カメラ用の拡張型照準機器（ｅｘｐａｎｄａｂｌｅ  ｓｉｇｈｔ  ｉｎｓｔｒｕｍｅｎｔ）についての１９８５年７月２３日発行のウエダ・ヒロシ（Ｈｉｒｏｓｈｉ  Ｕｅｄａ）、ミマ・ユウジロウ（Ｙｕｊｉｒｏ  Ｍｉｍａ）による米国特許第４５３０５８０号明細書のような、自動記録用のビデオレコーダ（カメラ）を支持するハンドヘルドデバイスまたは機器に関する。デバイスは、釣り竿のように、ロッド状で、格納式である。ロッドは、その一方の端部が、ユーザの手でハンドルが保持されるために使用でき、および、ハンドルには、記録を制御するために使用されるボタンがある。このボタンはまた、レコーダのジャックにワイヤで接続される。ロッドの他方の端部には、長さがレコーダの高さにほぼ等しくかつロッドに対して垂直に接続されているバーがある。長いバーには、長いロッドに対して垂直なボルトがあり、このボルトを使用して、雌ネジを備える孔のあるレコーダを締め付けて、レコーダの脚内へボルトを締め付ける。使用時には、カムコーダがボルトにねじ込まれるので、レンズはユーザの方に向き、ユーザは、ハンドルのボタンを押して、記録することができる。カメラの位置は、長いバーに対してカムコーダを回すことによって、スティックに対してその角度を変更し得るため、ユーザは、レンズが依然としてユーザに向いている間に、スティックとユーザの体との間で角度を変更し得る。この発明は、ユーザが自撮りできる、カメラに支持されるハンドヘルドデバイスの最初の発明のうちの１つである。しかしながら、この発明は、指制御式のデバイスによって、周りのパノラマ画像を撮るためにビデオレコーダを支持する機能を有していないため、パノラマ画像を撮るためにはユーザがハンドルの向きを変えるかまたはそのハンドルを回す必要がある。
【０００８】
これまでのところ、指制御式３６０°記録用の携帯電話回転ハンドヘルドデバイスは存在しない。それゆえ、携帯電話のユーザが、手元に携帯型レコーダを有するようにして、ユーザが便利に周囲のパラノマ眺望を撮ることができるようにし、かつ見る人のために３６０°の画像および動画を作り出すために使用され得る高品質の画像および動画を届けることができるようにすることが必要である。
【０００９】
以下の説明は、携帯電話ユーザまたはモバイル式ビデオレコーダに関するニーズを満たす指制御式３６０°携帯電話回転ハンドヘルドデバイスに関する。携帯型記録によって、携帯電話は、円弧、特に１８０°を上回る円弧で、携帯電話の低速回転で、ほとんど一定の回転速度で、ならびに揺れが少なく記録できるようになり、ユーザの望む方向での記録が可能になる。
【発明の概要】
【課題を解決するための手段】
【００１０】
本発明は、カメラまたは携帯型レコーダを用いて記録するためのハンドヘルドデバイスであって、およびその最も一般的な適用例は、カメラを備えた携帯電話を支持し、そのモニターを指で３６０°の弧で回すことができるハンドヘルドデバイスであり（以下、「デバイス」と呼ぶ）、以下、指制御式３６０°携帯電話ターニングデバイス（ｔｕｒｎｉｎｇ  ｄｅｖｉｃｅ）と呼ぶ。指制御式３６０°携帯電話ターニングデバイスの使用では、携帯電話のカメラは、滑らかな指制御式回転運動に従って、それ自体の弧で、往復式に、およびユーザの望み通りに高速または低速で、記録する。さらに、記録する弧は、小さな角度を有しても、または３６０°まで有してもよく、または繰り返し回転してもよい。
【００１１】
３６０°画像処理用の３６０°画像または映像の処理ソフトウェアと併せて、指制御式３６０°回転デバイスを用いて携帯電話によって記録された画像には、フィルムまたはビデオが、円形デバイスの周囲にまたは球形デバイスの表面に装着された個々のカメラによるつながれた画像よりも、良好な一貫性を有するという利点がある。
【００１２】
本発明のデバイスは、デバイスのカメラが、指および携帯電話を保持する手で回転速度、回転、所望の弧長を制御して、円弧で記録できるように、携帯電話を回転させる特徴を有する。
【００１３】
本発明のデバイスは、いくつもの異なる形態を有するが、携帯電話の回転制御は、指の動作に基づいている。これらのタイプのデバイスは、任意に携帯電話の回転を制御するために、異なる操作を有する。すなわち以下の通りである。
【図面の簡単な説明】
【００１４】
【図１．１】携帯電話の２つの側面で保持器によって保持されている携帯電話を保持している手の指でピボットを直接回転させる制御デバイス。
【図１．２】左側から見た図１．１によるデバイスの説明。
【図１．３】携帯電話の２つの側面で保持器によって保持されている携帯電話を保持している手の指でピボットを直接回転させる制御デバイス。
【図１．４】左側から見た図１．３によるデバイスの説明。  図１．１、図１．２、図１．３および図１．４．における部分および部材の符号の注釈：部分１の符号：１は、携帯電話保持器の全体部分である。１ａは、携帯電話保持器の保持用座部として機能する水平バーである。１ｂは、携帯電話保持器用のクランピングバーである。部分２の符号：２は、保持フレーム（１）を回転させるために保持フレーム（１）に接続された回転軸の全体部分である。２ａは、ユーザがピボットを指で直接回転させるときに、指に粗さをもたらすために、大きな直径および隆起した縁を備える、開放セクションである。２ｂは、ユーザがピボットを指で直接回転させるときに、指に粗さをもたらすために、小さい直径および隆起部を備える、セクションである。２ｃは、軸受の部分のピボットの中心である。部分３の符号：３は、ピボット（１）保持器の全体部分である。３ａは、ピボット（１）の軸受である。３ｂは、ピボット保持器（３）とハンドル（４）とを接続するために使用される軸保持チューブである。部分４の符号：４は、ハンドルの全体部分である。部分５の符号：５は、ピボット保持器（３）とハンドル（４）とを接続するために使用される軸である。５ａは、ハンドル（４）とピボット保持器（３）との均衡位置にねじ留めしかつそれを保持する雄ネジヘッドである。５ｂは、ハンドル（４）とピボット保持器（３）との間の必要な位置を保持するために中心ヘッド（５ａ）がねじ込まれるナットである。
【図２．１】携帯電話の２つの側面での携帯電話クランプ型保持器と比較して、往復式のラックバーを直線的に動かす力を加えるように動かすことによる制御デバイス。
【図２．２】図２．１の横断面Ｉ−Ｉ’に沿ったデバイスの横断面の説明。
【図２．３】携帯電話の２つの面での携帯電話クランプ型保持器を使用して、保持している手の人差し指を直線的に動かすことによる制御デバイス。  図２．１、図２．２、および図２．３における部分および部材の符号の注釈：部分１の符号：１は、携帯電話保持器の全体部分である。１ａは、携帯電話保持器の保持用座部として機能する水平バーである。１ｂは、携帯電話保持器用のクランピングバーである。部分２の符号：２は、保持フレーム（１）を回転させるために保持フレーム（１）に接続された回転軸の全体部分である。２ｄは、シリンダー状歯車の形態のピボット部分である。２ｃは、軸受の部分のピボットの中心である。部分３の符号：３は、ピボット保持器の全体部分である。３ａは、ピボット（１）の軸受である。３ｂは、ピボット保持器（３）とハンドル（４）とを接続するために使用される軸保持チューブである。３ｅは、同軸の歯（６ａ）が前後に摺動する、丸形シリンダー用の開放チューブである。部分４の符号：４は、ハンドルの全体部分である。部分５の符号：５は、ピボット保持器（３）とハンドル（４）とを接続するために使用される軸である。５ａは、ハンドル（４）とピボット保持器（３）との間の均衡位置にねじ留めしかつそれを保持する雄ネジヘッドである。５ｂは、ハンドル（４）とピボット保持器（３）との間の必要な位置を保持するために、中心ヘッド（５ａ）がねじ込まれるナットである。部分６の符号：６は、人差し指（または中指）の制御からの力を受け取るために、前後に水平方向および鉛直方向に動く歯付きシリンダーを備える全体部分である。６ａは、同軸の歯を備える丸形シリンダーである。６ｂは、人差し指（または中指）を置くための閉リングである。
【図３．１】携帯電話の２つの側面での携帯電話クランプ型保持器によって形成された円弧で指を動かすことによる、制御デバイス。
【図３．２】左側から見た図３．１のデバイスの説明。
【図３．３】携帯電話の２つの縁への携帯電話クランプ型保持器を使用して、保持している手の人差し指を円弧で動かすことによる、制御デバイス。
【図３．４】左側から見た図３．３によるデバイスの説明。  図３．１、図３．２、図３．３および図３．４．における部分および部材の符号の注釈：部分１の符号：１は、携帯電話保持器の全体部分である。１ａは、携帯電話保持器の保持用座部として機能する水平バーである。１ｂは、携帯電話保持器用のクランピングバーである。部分２の符号：２は、保持フレーム（１）を回転させるために保持フレーム（１）に接続された回転軸の全体部分である。２ｅは、円錐台状（ｂｌｕｎｔｅｄ  ｃｏｎｅ）の形態のピボット部分である。２ｃは、軸受にある部分のピボットの中心である。部分３の符号：３は、ピボット保持器の全体部分である。３ａは、ピボット（１）の軸受である。３ｂは、ピボット保持器（３）とハンドル（４）とを接続するために使用される軸保持チューブである。３ｃは、まだらのファンテイル（ｐｉｅｄ  ｆａｎｔａｉｌ）の歯車セグメント（６ｃ）の軸受である。部分４の符号：４は、ハンドルの全体部分である。部分５の符号：５は、ピボット保持器（３）とハンドル（４）とを接続するために使用される軸である。５ａは、ハンドル（４）とピボット保持器（３）との均衡位置にねじ留めしかつそれを保持するための雄ネジヘッドである。５ｂは、ハンドル（４）とピボット保持器（３）との間の必要な位置を保持するために中心ヘッド（５ａ）がねじ込まれるボルトナットである。部分６の符号：６は、人差し指（または中指）の制御からの力を受け取るために、曲線弧で前後に動くラックバーの全体部分である。６ｂは、親指を置くための閉リングである。６ｃは、まだらのファンテイルの歯車セグメントである。６ｄは、まだらのファンテイルの歯車セグメント（６ｃ）の軸である。
【図４．１】携帯電話の２つの側面での携帯電話クランプ型保持器と比較して、指を上下に鉛直方向に動かすことによる、制御デバイス。
【図４．２】図４．１の左側から見た、断面ＩＩ  ＩＩ’に沿ったデバイスの断面図の説明。
【図４．３】図４．１の上方から見た、断面ＩＩＩ  ＩＩＩ’に沿ったデバイスの断面図の説明。
【図４．４】携帯電話の２つの縁での携帯電話クランプ型保持器と比較して、指を上下に鉛直方向に動かすことによる、制御デバイス。
【図４．５】図４．４の左側から見た、断面ＩＩ  ＩＩ’に沿ったデバイスの断面図の説明。
【図４．６】図４．４の上方から見た、断面ＩＩＩ  ＩＩＩ’に沿ったデバイスの断面図の説明。  図４．１、図４．２、図４．３、図４．４、図４．５および図４．６における部分および部材の符号の注釈：部分１の符号：１は、携帯電話保持器の全体部分である。１ａは、携帯電話保持器の保持用座部として機能する水平バーである。１ｂは、携帯電話保持器用のクランピングバーである。部分２の符号：２は、保持フレーム（１）を回転させるように保持フレーム（１）に接続された回転軸の全体部分である。２ｃは、軸受にある部分のピボットの中心である。（２ｆ）は、らせん軸の形態のピボットである（ドリルビット形状）。部分３の符号：３は、ピボット保持器（１）の全体部分であり、かつ、ハンドルとして機能する。３ａは、ピボット（１）の軸受である。３ｂは、ピボット保持器（３）とハンドル（４）とを接続するために使用される軸保持チューブである。３ｄは、部材６の一部を内部で上下に動かすように方向付ける、ピボットを囲む開放溝または開放ダクトである。部分４の符号：４は、ハンドルの部分である。部分５の符号：５は、ハンドル部（４）とピボット保持器（３）とを接続するためのカップラーである。部分６の符号：６は、指の制御による力を受け取るために前後に動く、ラックバーまたはスクリューアクスルまたは円錐歯車の全体的なセクションである。６ｅは、開放溝または開放ダクト（３ｄ）内で上下に摺動できるように、開放溝または開放ダクト（３ｄ）の横断面と同様の横断面を有する摺動部片である。６ｆは、部分（６）が上下に動くときに、ピボット（２）が前後に回転するように、スクリュー形態のピボット（２ｆ）の横断面と同様の横断面を有する孔である。
【発明を実施するための形態】
【００１５】
１．指でピボットを直接回転させることによって３６０°記録を行う、回転する携帯電話（スクリーンを備えるスマートフォン）のハンドヘルドデバイスの説明（図１．１、図１．２、図１．３および図１．４参照）：
デバイスは、スクリーンおよびバックカメラを備える携帯電話を付けた携帯電話ホルダー１を含み、一対のクリップ１ｂの形態にあるホルダー１は、携帯電話の２つの側面をクリップ留めする機能を有し、水平方向座部１ａを備える。
【００１６】
座部１ａの中央の下側であってその中央には、ピボット２がある。フレーム３は、軸受３ａを備えるピボット保持器であり、軸受３は、ピボットセグメント２ｃを保持し、および中心セグメント２ｃが軸受３ａ内で自由に回転できるようにする。フレーム３には、シリンダー状の中空チューブ３ｂと、中空チューブ３ｂ内部の、直径が中空チューブ３ｂの直径とほぼ等しいシリンダー状軸５とがあり、軸５はハンドル４に接続されている。シリンダー状軸５の上端部は雄ネジ５ａを有し、中空チューブ３ｂ内にあるシリンダー状軸５およびその上端部は、パイプ３ｂから突出している。さらに、ナット５ｂ用の雄ネジ５ａを備える上端部は、ねじ込まれて、ハンドル４とピボットブラケット３との間に接合部を形成し、各ユーザに対して快適な位置にすることができる。
【００１７】
デバイスを使用するとき、携帯電話は、ブラケット１のクランプ内に挿入され、ユーザが掌でハンドル４を保持し、その後、自動モードのスナップショットカメラ用の動作モードを開くか、またはカメラをオンにしてから、人差し指（または中指）を使用して、隆起した縁２ａのある露出セクションの軸を回転させるか、または親指と人差し指とで（または親指と中指とで、または親指と隣同士の人差し指および中指の２本とで）それを直接回転させ、露出セクションは、隆起した縁２ｂを有し、カメラは、記録される必要のあるシーンにカメラを向けるようにユーザの意図に従って回転し、および３６０°以上の弧で記録できる。
【００１８】
記録されるピクチャ（Ｐｉｃｔｕｒｅｓ）または動画は、見られるとき、ユーザの周りのパノラマ眺望を見せる。ユーザがピクチャまたは記録に入っていたくない場合、ユーザは座って、頭部よりも上側へデバイスのハンドルおよび携帯電話を持ち上げ、および記録を制御するように直接軸を回転させるように各指を操作することができる。
【００１９】
記録された画像または動画は、携帯電話で直ぐに見ることができるか、または携帯電話の３６０°ＶＲアプリケーションソフトによって処理できるため、処理後、ユーザは、記録された写真または動画を３６０°のＶＲの形態で見ることができ、この場合、スクリーンをタップすることによってまたは携帯電話を回転させることによって、フルパノラマで仮想現実画像または動画を見ることができる。
【００２０】
２．人差し指を鉛直運動で動かすことによって制御されるタイプの３６０°記録携帯電話回転ハンドヘルドデバイスの説明（図２．１、図２．２および図２．３参照）：
デバイス（１）の説明のような、ピボットを指で直接回転させることによって、指制御式３６０°記録携帯電話回転ハンドヘルドデバイスと同様である。
【００２１】
しかし、この場合、このタイプの３６０°記録携帯電話回転ハンドヘルドデバイスの回転軸は、歯車セグメント２ｄと、同軸の駆動歯を備える直線シリンダー６ａとを有する。このハブ６ａは、回転軸１に対して垂直であり、歯車セグメントの歯車２ｄの歯と係合する。歯を備えるハブ６ａは、開放ダクト３ｅ内で前後に摺動することによって自由に動き、ダクト３ｅの断面は、駆動歯を備えるシリンダー６ａの断面と近似している。開放パイプ３ｅはピボット保持器３に位置し、歯を備える直線シリンダー６の外側端部は、人差し指を置くための閉リング６ｂである。指を動かすとき、駆動歯を有するシリンダー状ハブ６ａの歯は、ピボット２の歯車セグメント２ｃの歯に係合して、歯付きのシリンダー状ハブ６ａを動かし、それゆえ、ピボット２を回転させ、かつ携帯電話を回して、ユーザの注目次第で、おそらく３６０度以上の弧でシーンを記録できるようにする。
【００２２】
記録されたピクチャまたは動画は、見られるとき、ユーザの周りのパノラマ眺望を見せる。ユーザがピクチャまたは記録に入りたくない場合、ユーザは座って、頭部よりも上側へデバイスのハンドルおよび携帯電話を持ち上げ、および記録を制御するように直接軸を回転させるように各指を操作することができる。
【００２３】
記録された画像または動画は、携帯電話で直ぐに見ることができるか、または携帯電話の３６０°ＶＲアプリケーションソフトによって処理できるため、処理後、ユーザは、記録された写真または動画を３６０°のＶＲの形態で見ることができ、この場合、スクリーンをタップすることによってまたは携帯電話を回転させることによって、フルパノラマで仮想現実画像または動画を見ることができる。
【００２４】
３．人差し指を曲線弧で動かすことによって制御されるタイプの３６０°記録携帯電話回転ハンドヘルドデバイスの説明（図３．１および図３．２参照）：
デバイス（１）の説明のような、指でピボットを直接回転させることによる、指制御式３６０°記録携帯電話回転ハンドヘルドデバイスと同様である。
【００２５】
しかし、この場合、ピボットの下方端部は、ピボット２と同軸の円錐台状のピボットセクション２ｅである。外周に同心の歯が置かれた扇状のプレート６ｃがあり、そこには、扇状のプレートの表面に対して垂直な軸６ｄがある。軸６ｄは固定されており、軸受３ｃが保持フレーム３に置かれ、かつ扇状のプレート６ｃの歯が円錐台状歯車（ｂｌｕｎｔｅｄ  ｃｏｎｅ  ｇｅａｒ）２ｅの歯車と係合するのを助けるため、軸６ｄは自由に回転し得る。シリンダー状の直線ハブ６の外側には、人差し指を置くための閉リング６ｂがある。指が動くと、それに従って扇状のプレート６が回転し、かつ円錐台状歯車２ｅを回転させ、それゆえ、携帯電話を回して、ユーザの意図に従って、おそらく３６０度以上の弧でシーンを記録できるようにする。
【００２６】
記録されたピクチャまたは動画は、見られるとき、ユーザの周りのパノラマ眺望を見せる。ユーザがピクチャまたは記録に入りたくない場合、ユーザは座って、頭部よりも上側へデバイスのハンドルおよび携帯電話を持ち上げ、および記録を制御するように直接軸を回転させるように各指を操作することができる。
【００２７】
記録された画像または動画は、携帯電話で直ぐに見ることができるか、または携帯電話の３６０°ＶＲアプリケーションソフトによって処理できるため、処理後、ユーザは、記録された写真または動画を３６０°のＶＲの形態で見ることができ、この場合、スクリーンをタップすることによってまたは携帯電話を回転させることによって、フルパノラマで仮想現実画像または動画を見ることができる。
【００２８】
４．親指を上下に動かすことによって制御されるタイプの３６０°記録携帯電話回転ハンドヘルドデバイスの説明（図４．１、図４．２、および図４．３参照）：
デバイス（１）の説明のような、指でピボットを直接回転させることによる、指制御式３６０°記録携帯電話回転ハンドヘルドデバイスと同様である。
【００２９】
しかし、この場合、指制御式３６０°記録携帯電話回転ハンドヘルドデバイスのピボットの下方端部は、（ドリルビット形状の）スクリューアクスル２ｆである。開放溝または開放ダクト（３ｄ）の断面と同様の周辺断面を有するブロック６ｅであるため、ブロック６ｅは開放溝またはダクト（３ｄ）内で上下に摺動することができる。孔としての６ｆは、その断面が、スクリューアクスル（２ｆ）の断面と同じであるため、部分（６）が上下に動くと、ピボット（２）が往復方向で回転するようになる。親指制御式デバイス６の外側には、親指を置くための閉リング６ｂがあり、および親指が上下に動くと、ユニット６ｅを上下に動かし、かつドリルビット形状のスクリューアクスル２ｆを前後に回転させる。それゆえ、これにより、携帯電話は、３６０°以上の記録弧で、ユーザの意図に従ってシーンを記録できる。
【００３０】
記録されたピクチャまたは動画は、見られるとき、ユーザの周りのパノラマ眺望を見せる。ユーザがピクチャまたは記録に入りたくない場合、ユーザは座って、頭部よりも上側へデバイスのハンドルおよび携帯電話を持ち上げ、および記録を制御するように直接軸を回転させるように各指を操作することができる。
【００３１】
記録された画像または動画は、携帯電話で直ぐに見ることができるか、または携帯電話の３６０°ＶＲアプリケーションソフトによって処理できるため、処理後、ユーザは、記録された写真または動画を３６０°のＶＲの形態で見ることができ、この場合、スクリーンをタップすることによってまたは携帯電話を回転させることによって、フルパノラマで仮想現実画像または動画を見ることができる。
【図１．１】
2019527858.tif 000003
【図１．２】
2019527858.tif 000004
【図１．３】
2019527858.tif 000005
【図１．４】
2019527858.tif 000006
【図２．１】
2019527858.tif 000007
【図２．２】
2019527858.tif 000008
【図２．３】
2019527858.tif 000009
【図３．１】
2019527858.tif 000010
【図３．２】
2019527858.tif 000011
【図３．３】
2019527858.tif 000012
【図３．４】
2019527858.tif 000013
【図４．１】
2019527858.tif 000014
【図４．２】
2019527858.tif 000015
【図４．３】
2019527858.tif 000016
【図４．４】
2019527858.tif 000017
【図４．５】
2019527858.tif 000018
【図４．６】
2019527858.tif 000019
【国際調査報告】
2019527858.tif 000020
2019527858.tif 000021